(57)【特許請求の範囲】
【請求項１】
原稿画像を読み取るスキャナ装置を備えたスキャナ・ユニット体と、用紙に画像を形成するプリンタ装置を備えたプリンタ・ユニット体とを具備し、前記スキャナ・ユニット体を前記プリンタ・ユニット体に対して開閉可能に支持させてなる画像形成装置において、前記スキャナ・ユニット体と前記プリンタ・ユニット体における電気的構成部を電線部材によって接続し、前記スキャナ・ユニット体の上方回動時に外部に対して開放され、かつ前記スキャナ・ユニット体の下方回動時に前記スキャナ・ユニット体に対向する前記プリンタ・ユニット体の上部に設けた蓋体により、外部に露呈される前記電線部材のコネクタ接続部を被覆したことを特徴とする画像形成装置。
【請求項２】
前記蓋体によって前記コネクタ接続部部分とともに、このコネクタ接続部を保持する電装基板を被覆したことを特徴とする請求項１記載の画像形成装置。
【請求項３】
前記蓋体と、固定側部材に弾性的に嵌合する蓋体における係止部とを樹脂材により一体成形したことを特徴とする請求項１または２記載の画像形成装置。
【請求項４】
前記コネクタ接続部部分に、前記電線部材の複数本を１本に結束させてなる電線束を外部へ導出させる電線出口を１箇所のみ設けたことを特徴とする請求項１または２記載の画像形成装置。
【請求項５】
前記蓋体に、電線部材と接して電線部材の動きを規制するための薄板部材を設けたことを特徴とする請求項１，２または３記載の画像形成装置。
【発明の詳細な説明】
【０００１】
【発明の属する技術分野】
本発明は、原稿画像を読み取るスキャナ装置を備えたスキャナ・ユニット体と、用紙に画像を形成するプリンタ装置を備えたプリンタ・ユニット体とを具備する画像形成装置に係り、特にスキャナ・ユニット体とプリンタ・ユニット体とを電気的に接続する電線類の保護に関するものである。
【０００２】
【従来の技術】
従来よりスキャナ装置とプリンタ装置とが一体となった画像形成装置があり、この種の画像形成装置では、プリンタ装置に搭載されている構成部材の交換、あるいは搬送のトラブルにより生じたジャム紙の除去のために、プリンタ装置の一部を外部に対して開放して作業ができるようにする必要があり、小型の装置では、スキャナ装置のスキャナ・ユニット体をプリンタ装置のプリンタ・ユニット体に対して回動可能に支持して、スキャナ・ユニット体を回動することにより、プリンタ・ユニット体の上部開口を外部に対して開放できるようにした構成が採用されている。
【０００３】
また、前記構成の画像形成装置において、通常、スキャナ・ユニット体側の電気的構成部とプリンタ・ユニット体側の電気的構成部とが電線類によって電気的に接続されており、両ユニット体から複数本の電線部材が引き出され、引き回されるようにして配線されている。
【０００４】
前記電線の接続方法としては、図６に示すように、電線１０１の端部にオス側コネクタ１０２を設け、電装基板１０３に固定されたメス側コネクタ１０４にオス側コネクタ１０２を嵌着して、電気的に接続させる方法が一般的である。
【０００５】
【発明が解決しようとする課題】
前記従来の構成の画像形成装置においては、スキャナ・ユニット体を回動することにより、プリンタ・ユニット体の上部開口を外部に対して開放できるようにした構成であるため、その開放された部分に、図６に示すような電線接続箇所が設置されていると、コネクタ接続部が剥き出しの状態になり、使用者が不用意に電線部材を引き抜いてしまう可能性がある。
【０００６】
このようなことが発生すれば、当然のことであるが、処理情報の電送が行えなかったり、駆動制御信号が入出力されずに、スキャナあるいはプリンタが動作しないということになる。
【０００７】
本発明は、前記従来の課題を解決し、簡単な構造で、外部に露呈する電線部材のコネクタ接続部分の接続保持あるいは同部分の保護が行われるようにした画像形成装置を提供することを目的とする。
【０００８】
【課題を解決するための手段】
前記目的を達成するため、本発明は、原稿画像を読み取るスキャナ装置を備えたスキャナ・ユニット体と、用紙に画像を形成するプリンタ装置を備えたプリンタ・ユニット体とを具備し、前記スキャナ・ユニット体を前記プリンタ・ユニット体に対して開閉可能に支持させてなる画像形成装置において、前記スキャナ・ユニット体と前記プリンタ・ユニット体における電気的構成部を電線部材によって接続し、前記スキャナ・ユニット体の上方回動時に外部に対して開放され、かつ前記スキャナ・ユニット体の下方回動時に前記スキャナ・ユニット体に対向する前記プリンタ・ユニット体の上部に設けた蓋体により、外部に露呈される前記電線部材のコネクタ接続部を被覆したものであり、この構成によって、コネクタ接続部が外部に露出することがなくなり、コネクタ接続部における使用者による不用意な電線部材の引き抜き、取り外しなどによる不具合の発生を未然に防止することができる。
【０００９】
また本発明は、前記蓋体によって前記コネクタ接続部部分とともに、このコネクタ接続部を保持する電装基板を被覆したものであり、この構成によって、電装基板も外部に露出することがなくなり、電装基板上に金属材などの導電部材が落下してショートなどを発生させるなどの不具合の発生を未然に防止することができる。
【００１０】
また本発明は、前記蓋体と、固定側部材に嵌合する蓋体における係止部とを樹脂材により一体成形したものであり、この構成によって、蓋体の固定のためにねじ等を使用する必要がなくなり、固定のための構成および作業が簡単になり、さらに製造も簡単になる。
【００１１】
また本発明は、前記コネクタ接続部部分に、前記電線部材の複数本を１本に結束させてなる電線束を外部へ導出させる電線出口を１箇所のみ設けたものであり、この構成によって、電線部材同士が絡まりあって振動などによって抜けやすくなること等を防ぐことができる。
【００１２】
また本発明は、前記蓋体に、電線部材と接して電線部材の動きを規制するための薄板部材を設けたものであり、この構成によって、電線部材の不用意な動きが他部材に悪影響を与えてしまったり、電線部材が他部材によって損傷を受けてしまうこと等を防ぐことができる。
【００１３】
【発明の実施の形態】
以下、本発明の好適な実施形態について図面を参照しながら説明する。
【００１４】
図１は本発明の一実施形態を説明するためのスキャナとプリンタとが一体となった画像形成装置の全体斜視図、図２は図１の画像形成装置におけるスキャナ・ユニット体を上方へ回動した状態を示す斜視図、図３は図１の画像形成装置における内部構造を概略説明するための側面断面状態の構成図であって、１はスキャナ装置が搭載されたスキャナ・ユニット体、２はプリンタ装置が搭載されたプリンタ・ユニット体であり、スキャナ・ユニット体１は後述するようにプリンタ・ユニット体２の奥側において回動可能に支持されている構成である。
【００１５】
スキャナ・ユニット体１は、外枠部材でもある樹脂（例えばＡＢＳ樹脂）製のスキャナ・ユニット本体１０の上部に原稿が載置されるコンタクトガラス１１が設けられ、手前側（図１，図２における右側、図３における左側）には各種動作モードを設定するためのスイッチ類、および動作状態あるいはモード設定状態を表示する操作／表示パネル１２が設けられている。コンタクトガラス１１の上側には載置されたブックタイプの原稿をコンタクトガラス１１に押圧する圧板１３が設置されている。圧板１３は、回動可能であって、その端部が原稿搬送ユニット部１４の一部に支持されている。
【００１６】
原稿搬送ユニット部１４はシートタイプの原稿を搬送するものであって、原稿搬送ユニット部１４には、図３に示すように、圧板１３の上面に積載された原稿を給紙する給紙コロ１５と、原稿を１枚ずつ搬送する分離搬送コロ１６と、一対の搬送ローラ対１７と、これらの搬送ローラ対１７間に設置された原稿読取位置ａに設けられた原稿押圧板１８と、原稿排紙トレイ１９が設けられている。
【００１７】
シートタイプの原稿が載置される圧板１３上には、原稿幅を規制する原稿幅ガイド板２０，２１が設けられ、一方の原稿幅ガイド板２０が他方の原稿幅ガイド板２１に対して移動可能であって、載置された原稿の位置を他方の原稿幅ガイド板２１を基準として規制している。
【００１８】
スキャナ・ユニット本体１０内におけるコンタクトガラス１１の下方には、光ピックップ２２が移動可能に設けられており、コンタクトガラス１１上に載置されたブックタイプの原稿に対しては、光ピックアップ２２が横動して原稿情報を読み取る。また、原稿搬送ユニット部１４により搬送されるシートタイプの原稿に対しては、原稿読取位置ａに光ピックアップ２２を固定した状態にて、原稿読取位置ａを移動（図３の右方向）する原稿の情報を読み取る。
【００１９】
プリンタ・ユニット体２は、外枠部材でもある樹脂（例えばＡＢＳ樹脂）製のプリンタ・ユニット本体３０内に静電式画像形成装置が搭載されている。静電式画像形成装置の構成は公知のものであって、図３に示すように、感光体３１を主体として、感光体３１に潜像を形成するために感光体３１を感光するレーザ発光ユニット部３２と、感光体３１上の潜像をトナー現像する現像部３３と、用紙にトナー像を転写する転写部３４と、転写後の用紙を加熱，加圧して転写像の定着を行う定着部３５と、用紙収納カセット３６と、用紙収納カセット３６から給紙された用紙をタイミングをとって感光体３１と転写部３４のニップ部へ送るレジストローラ３７と、排紙ローラ３８などから構成されている。
【００２０】
プリンタ・ユニット本体３０の手前側には、排紙ローラ３８により排出される画像が形成された用紙を受ける排紙スタック部である排紙トレイ部４０が一体に形成されており、さらに、この排紙トレイ部４０の手前側には、大型サイズの用紙が排紙されたときに受けられるように、延長用トレイ４１が出し入れ可能に設けられている。
【００２１】
図２に示すように、スキャナ・ユニット体１とプリンタ・ユニット体２間には、スキャナ・ユニット体１の回動時に発生する衝撃などを緩衝するためにダンパー部材４５が架設されている。このダンパー部材４５は、内部に粘性の高いガスが封入されたガスダンパー部４６と、このガスダンパー部４６に出入り可能に設けられたロッド部４７からなり、本例ではガスダンパー部４６がスキャナ・ユニット本体１０の一部に回動可能に支持され、ロッド部４７がプリンタ・ユニット本体３０の一部に回動可能に支持されている。
【００２２】
スキャナ・ユニット本体１０における手前側の下部一側には、スキャナ・ユニット体１の動作をロックするロック機構の操作フック部５０が配設されている。この操作フック部５０は、図２に示すように、倒Ｌ字状のスライド体５１の一端部に設けられている。スライド体５１は、スキャナ・ユニット本体１０の底部に設けられた底カバー５２内面をスライド可能に設けられており、操作フック部５０とは反対側には距離をおいて一対の係合爪部５３が設けられている。係合爪部５３は操作フック部５０と同様に底カバー５２の一部から外部に露出している。
【００２３】
係合爪部５３は、プリンタ・ユニット本体３０における排紙トレイ部４０の両側に一体に突設された立壁部３０ａの前上部に形成された係止孔５５の内周一部に係合してスキャナ・ユニット体１をロック状態に保持する。
【００２４】
ロック機構を構成するスライド体５１における操作フック部５０が設けられている側で、かつ一方の係合爪部５３が設けられている部位には引張スプリング５６の一端を係止し、スライド体５１を奥側に引っ張るようにして、ロック状態における係合爪部５３と係止孔５５との係合状態を維持するように作用している。
【００２５】
したがって、作業者は、操作フック部５０を持って引張スプリング５６の引張力に抗して外側に引けば、スライド体５１を手前側に移動させることによって係合爪部５３と係止孔５５との係合を解除することができて、スキャナ・ユニット体１を回動させることが可能になる。
【００２６】
またスキャナ・ユニット体１とプリンタ・ユニット体２間には、図２に示すように、スキャナ・ユニット体１とプリンタ・ユニット体２にそれぞれ搭載された電気構成部材（図示せず）を電気的に接続するための電線部材である複数の電線６０およびハーネス６１が配線されている。電線６０は、１つの束になって、プリンタ・ユニット本体３０の立壁部３０ａの奥側上部に設けられた電線接続部６２に端部が接続されている。
【００２７】
図４は前記電線接続部の構成を示す分解斜視図であり、コネクタ自体は図６に示すような公知の構成であって、各電線６０の端部にオス側コネクタ６３を設け、プリンタ・ユニット本体３０の立壁部３０ａに設置された電装基板６４に設けられた複数のメス側コネクタ６５に対応したオス側コネクタ６３をそれぞれ嵌着する構成になっている。
【００２８】
図４において、７０は、電線接続部６２における立壁部３０ａの開口部を被覆するための樹脂製の蓋体であって、前部および後部には複数の弾性脚部７１，７２が一体成形されており、立壁部３０ａの開口部周壁の前部および後部に設けられた係止孔７３，７４に弾性脚部７１，７２を嵌着することにより、立壁部３０ａに固定される。蓋体７０によって電線接続部６２は、コネクタ６３，６５部分と、電線６０の端部と、電装基板６４とが被覆され、外部から見えずまた接触することもできない状態になる。
【００２９】
したがって、スキャナ・ユニット体１を回動させてプリンタ・ユニット体２の上部を外部に対して開放させた状態であっても、蓋体７０が電線接続部６２を覆っているため、作業者によってコネクタ６３，６５およびコネクタ接続部分の電線６０が不用意に引き抜かれたりするなどの不具合の発生を防ぐことができる。さらに蓋体７０によって電装基板６４も覆われているため、作業者の指あるいは金属製部材などが電装基板６４に触れてショートなどの不具合を発生させるようなことも未然に防止することができる。
【００３０】
また蓋体７０は、固体手段としての弾性脚部７１，７２を樹脂一体成形により形成する構成であるため、製造が容易であり、さらに蓋体７０の固定は、前記のように係止孔７３，７４に対して弾性脚部７１，７２を弾性的に嵌着することによって行い、ネジなどを使用する必要がないため、蓋体固定作業を容易に行うことができる。
【００３１】
また蓋体７０の側部には、プリンタ・ユニット本体３０内方へ延出する薄板部材である樹脂板７５を設けており、図２に示すように、ハーネス６１を樹脂板７５の下に配線してハーネス６１の動きを規制したり、ハーネス６１の周囲に配設された部材がハーネス６１に当接すること等を防止するようにしている。
【００３２】
図５は本実施形態における電線接続部６２部分の変形例を示す斜視図であり、この例では前記のように蓋体７０によって電線６０のコネクタ部分を覆うとともに、立壁部３０ａの一箇所に電線出口８０を形成し、かつ電線６０を束にして電線出口８０から導出させることによって、複数本の電線６０がばらついて絡み合うことによって外れてしまうことを防止している。
【００３３】
【発明の効果】
以上説明したように、本発明によれば、スキャナ・ユニット体の上方回動時に外部に対して開放され、かつ前記スキャナ・ユニット体の下方回動時に前記スキャナ・ユニット体に対向する前記プリンタ・ユニット体の上部に設けた蓋体により、外部に露呈される電線部材のコネクタ接続部部分を被覆して、コネクタ接続部が外部に露出しないようにすることによって、コネクタ接続部における電線部材の不用意な引き抜き、取り外し、あるいは導電体の接触によるショートなどの不具合の発生を未然に防止することができ、しかも簡単な構成で、蓋体の取り付けを行うことができる等、実際上の効果が大きな画像形成装置を提供することができる。
【図面の簡単な説明】
【図１】本発明の一実施形態を説明するためのスキャナとプリンタとが一体となった画像形成装置の全体斜視図
【図２】本実施形態の画像形成装置におけるスキャナ・ユニット体を上方へ回動した状態を示す斜視図
【図３】本実施形態の画像形成装置における内部構造を概略説明するための側面断面状態の構成図
【図４】本実施形態の画像形成装置における電線接続部の構成を示す分解斜視図
【図５】本実施形態における電線接続部部分の変形例を示す斜視図
【図６】従来の電線の接続方法，構成の説明図
【符号の説明】
１  スキャナ・ユニット体
２  プリンタ・ユニット体
１０  スキャナ・ユニット本体
３０  プリンタ・ユニット本体
３０ａ  プリンタ・ユニット本体の立壁部
６０  電線
６１  ハーネス
６２  電線接続部
６３  オス側コネクタ
６４  電装基板
６５  メス側コネクタ
７０  蓋体
７１，７２  蓋体の弾性脚部
７３，７４  立壁部の係止孔
７５  樹脂板
８０  電線出口
【図１】
0003679629.tif 000002
【図２】
0003679629.tif 000003
【図３】
0003679629.tif 000004
【図４】
0003679629.tif 000005
【図５】
0003679629.tif 000006
【図６】
0003679629.tif 000007